(57)【要約】領域定義を含み、更に或る実施形態ではデータ・メッセージにおいて定義された少なくとも１つの領域に対応する領域形状を指定する領域形状属性を含むデータ・メッセージである。或る実施形態では、データ・メッセージは、結合タイプ属性と、結合原点を指定する結合原点属性とを含む。結合タイプ属性は、結合原点から対応する領域まで伸びる結合形状を指定する。データ・メッセージは、第１のイメージ情報を第１の領域（６１０）内に、そして第２のイメージ情報を第２の領域（６２０）内に表示する。なお、第２の領域は、結合形状（６３０）を有する第１の領域と関連し得る。
2005524899.tif 000002
【特許請求の範囲】
【請求項１】
領域定義と、
データ・メッセージにおいて定義された少なくとも１つの領域に対応する領域形状属性であって、対応する領域の形状を指定する前記領域形状属性と
を備えるデータ・メッセージ。
【請求項２】
前記領域形状属性が、対応する領域の非矩形形状を指定する請求項１記載のデータ・メッセージ。
【請求項３】
前記領域形状属性が、事前定義された形状に対する参照である請求項１又は２記載のデータ・メッセージ。
【請求項４】
結合タイプ属性と、
結合原点を指定する結合原点属性とを更に備え、
前記結合タイプ属性が、前記結合原点から対応する領域まで伸びる結合形状を指定する
請求項１から３のいずれか一項に記載のデータ・メッセージ。
【請求項５】
前記データ・メッセージが、同期化マルチメディア統合言語メッセージであり、
前記領域形状属性が、前記領域定義の一部である
請求項１から４のいずれか一項に記載のデータ・メッセージ。
【請求項６】
前記領域形状属性が、前記領域形状のグラフィックス言語仕様である請求項１から５のいずれか一項に記載のデータ・メッセージ。
【請求項７】
前記グラフィックス言語仕様が、前記領域形状のスケーラブル・ベクトル・グラフィックス言語仕様である請求項６記載のデータ・メッセージ。
【請求項８】
前記データ・メッセージの領域に対してデフォルト形状を指定する属性を備える請求項１から７のいずれか一項に記載のデータ・メッセージ。
【請求項９】
或る領域に、当該領域に対応する領域形状属性により指定された前記領域の形状を表現するステップと、
前記領域形状属性により指定されたように表現された形状を表示するステップと
を備えるデータ・メッセージ方法。
【請求項１０】
前記領域形状属性により指定された非矩形形状を表現することにより前記形状を表現するステップを備える請求項９記載のデータ・メッセージ方法。
【請求項１１】
事前定義された形状を参照することにより前記形状を指定するステップを備える請求項９又は１０記載のデータ・メッセージ方法。
【請求項１２】
結合原点と前記の表示された形状との間の結合形状を表示するステップを備える請求項９から１１のいずれか一項に記載のデータ・メッセージ方法。
【請求項１３】
前記結合形状と前記領域形状とを組み合わせることにより新しい形状を形成するステップを備える請求項９から１２のいずれか一項に記載のデータ・メッセージ方法。
【請求項１４】
結合タイプ属性により指定された結合形状を表現するステップと、
前記結合原点を結合原点属性を用いて指定するステップと
を備える請求項９から１３のいずれか一項に記載のデータ・メッセージ方法。
【請求項１５】
テキストを前記領域の形状内に表示するステップを備える請求項９から１４のいずれか一項に記載のデータ・メッセージ方法。
【請求項１６】
前記テキストを前記形状の境界に沿って表示するステップを備える請求項１５記載のデータ・メッセージ方法。
【請求項１７】
前記形状内の矩形範囲内にテキストを表示するステップを備える請求項１５又は１６記載のデータ・メッセージ方法。
【請求項１８】
前記形状より大きい範囲を有するイメージを表現するステップと、
前記形状の外側のイメージの部分をクリッピングするステップと、
前記の表現されたイメージを前記形状内に表示するステップと
を備える請求項９から１７のいずれか一項に記載のデータ・メッセージ方法。
【発明の詳細な説明】
【技術分野】
【０００１】
［開示の分野］
本発明は、一般的に、イメージ・コンテンツ、例えば、マルチメディア・コンテンツを表示することに関し、より詳細には、イメージ・コンテンツが表示装置の領域、例えば、領域形状に表示される当該領域、例えば、領域形状を構成することに関する。本発明はまた、イメージ・コンテンツ及びイメージ・コンテンツ再構成情報を有するデータ・メッセージ、及びそのデータ・メッセージのための方法に関する。
【０００２】
［開示の背景］
マルチメディア・メッセージ送信、例えば、マルチメディア・メッセージ送出サービス（ＭＭＳ）は、おおむね成長し、そして電気通信産業の無線及び有線の両方の部門で成長し続けるであろう。
【０００３】
同期化マルチメディア統合言語（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）（ＳＭＩＬ）仕様は、現在、マルチメディア・メッセージ伝送、特に、ポストカード・フォーマット伝送のため要望されている。ＳＭＩＬ仕様は、著作者が対話型でモジュール式のマルチメディア表現を生成するのを可能にする拡張マークアップ言語（ＸＭＬ）ベースのプログラミング言語である。例えば、ＳＭＩＬは、著作者がマルチメディア表現の時間的挙動を記述し、ハイパーリンクをメディア・オブジェクトと関連付け、そしてディスプレイ上の１又はそれより多い領域を有する当該マルチメディア表現のレイアウトを記述するのを可能にする。ＳＭＩＬ仕様のモジュール化は、意味的に関連したＳＭＩＬ要素、属性、及び属性値をグループ化して、ＳＭＩＬモジュールの互いに素な集合（セット）にする。なお、そのＳＭＩＬモジュールの互いに素なセットは、再び組み合わされて、複数のＳＭＩＬプロフィールを生成することができる。
【０００４】
ＳＭＩＬ仕様を含む、マルチメディア・メッセージ伝送を実行するための既知で既存の標準は、イメージ及びテキストを非矩形領域に挿入することを許可しない。同期化マルチメディア統合言語（ＳＭＩＬ）仕様で実行されるマルチメディア・メッセージ送出サービス（ＭＭＳ）は、例えば、イメージ・コンテンツを矩形領域に表現又は表示しなければならない。
この開示の様々な様相、特徴及び利点は、後に説明する添付図面を参照した以下の詳細な説明を正確に考察すれば当業者に一層十分に明らかになるであろう。
【０００５】
［詳細な説明］
本発明は、イメージが表示装置上の領域定義に表示される当該領域定義を有するデータ・メッセージに関係する。或る実施形態においては、データ・メッセージは、定義された領域に対して、或る形状、例えば、非矩形形状を指定する領域形状情報を含む。
【０００６】
一例示的実施形態において、データ・メッセージは、同期化マルチメディア統合言語（ＳＭＩＬ）メッセージである。代替として、データ・メッセージは、拡張ハイパーテキスト・マークアップ言語（ＸＨＴＭＬ）、又は他の或る拡張マークアップ言語（ＸＭＬ）ベースの言語であるが、しかし他の実施形態においては、データ・メッセージは、他の或る言語、例えば、プロプラエタリ言語又はオープンな産業標準言語であり得る。
【０００７】
詳細な説明及び特許請求の範囲を含むこの明細書においては、用語「イメージ」は、その意味の中に、静止イメージ、アニメーション化されたイメージ、背景イメージ、領域及びレイアウト定義、境界（ｂｏｒｄｅｒｓ）等を含むいずれの表示可能な要素を含むが、これらに限定されるものではない。
【０００８】
或る実施形態においては、データ・メッセージは、無線による伝送、例えばＷ−ＣＤＭＡ又はＧＳＭ又はＥ／ＧＰＲＳ、及び帯域幅の効率的使用が特に望ましい他の無線通信ネットワークのため公式化（ｆｏｒｍｕｌａｔｅ）される。しかしながら、より一般的には、データ・メッセージは、ワイド・エリア（広域）・ネットワーク又はローカル・エリア・ネットワークを含む任意の無線又は有線媒体を介して伝送される。
【０００９】
一実施形態において、データ・メッセージは、そのデータ・メッセージにおいて定義された少なくとも１つの領域に対応する領域形状属性を含む。領域形状属性は、その領域形状属性が関連付けられる対応の領域に対して或る形状を指定する。図１は、例示的領域１１０、及びその領域１１０の内側の対応する形状１２０を示す。例示的領域１１０は、矩形形状を有し、そしてその大きさ及び寸法は、ピクセルによって指定される。即ち、高さ＝７５ピクセル（７５ｐｘ）、及び幅＝１００ピクセル（１００ｐｘ）である。
【００１０】
データ・メッセージがＳＭＩＬメッセージである実施形態においては、領域形状属性は領域定義の一部である。形状属性を有する例示的データ領域定義は、次のとおりである。
【００１１】
【表１】
2005524899.tif 000003
この例示的定義において、“ｖｉｄｅｏ１”は関心の領域の名前を特定し、そして幅及び高さは名前を付けられた領域の矩形寸法をピクセルで指定する。他の実施形態においては、より一般的に、領域は、矩形形状以外の形状を有するように定義され得る。“ｖｉｄｅｏ１”領域に対する形状属性は、例えば、図１に示されるように、“ｅｌｌｉｐｓｅ（楕円）”として定義される。代替として、用語「ｓｈａｐｅ（形状）」以外の識別子を、形状属性を定義するため用い得る。また、形状属性は、任意の所望の形状を持ち得て、その非限定の例が更に以下で説明される。
【００１２】
或る実施形態においては、形状属性定義の不存在は、識別された領域に割り当てられたデフォルト形状をもたらす。例えば、デフォルト領域形状は、領域矩形寸法により指定された矩形形状であり得て、又は代替として、他の或るデフォルト形状、例えば、長円形形状が当該領域に割り当てられ得る。
【００１３】
例示的領域形状は、円、卵形、星、多角形、矢、ハート形、及び他の不規則形状等を含む。デフォルト形状がある実施形態においては、デフォルト形状は、任意の形を取り得る。領域形状属性の不存在においては、領域は、デフォルト形状と見なすことが好ましい。領域形状属性は、一般的に、デフォルト形状以外の形状、例えば、非矩形形状又は他の或る形状を指定し、その例は上記で説明している。
【００１４】
或る実施形態においては、領域形状属性は、単に、事前定義された形状に対する参照である。しかしながら、他の実施形態においては、領域形状属性は、領域形状のグラフィックス言語仕様、例えば、所望の領域形状のスケーラブル・ベクトル・グラフィックス（ＳＶＧ）言語仕様である。領域形状のグラフィックス言語仕様は、ベクトル・グラフィックス言語が好ましいけれども、代わりに、他の或るプログラミング言語で表され得る。
【００１５】
データ・メッセージは、一般的に、例えば、無線ネットワーク又は有線ネットワークを介して、イメージ・データを表示する能力を有する電子装置へ送信され、又はさもなければそれにより受信される。電子装置は、コンピュータ、又はセルラ・ハンドセット、又はイメージを表現（ｒｅｎｄｅｒ）し表示する能力を有する他の或る移動無線通信装置であり得る。例示的ＳＭＩＬメッセージは、任意の手段により獲得され得るけれども、典型的には、セルラ通信ハンドセット、例えば、マルチメディア・サービス（ＭＭＳ）加入者装置へ送信される。
【００１６】
一つのアプリケーションにおいて、図２に示されるように、ブロック２１０で、形状が対応する領域に対して定義されているかどうかが決定される。形状が定義されている場合、例えば、形状属性により、形状は、ブロック２２０で対応する領域に対して表現（ｒｅｎｄｅｒ）される。形状が定義されていない場合、ブロック２３０で、デフォルト形状が表現される。ブロック２４０で、表現されたその形状が表示される。図２のブロック図が形状を表現することと形状を表示することとを別個に示しているが、実際には、これらのプロセスは、統合して、又は単一の動作で又は連続した動作で実行され得る。その処理の詳細は、一般的に当業者に知られている。
【００１７】
他の実施形態においては、データ・メッセージは、結合タイプ（ｌｉｎｋ  ｔｙｐｅ）属性及び結合原点（ｌｉｎｋ  ｏｒｉｇｉｎ）属性を含む。一実施形態においては、結合原点属性は、結合原点を指定し、そして結合タイプ属性は、結合形状（ｌｉｎｋ  ｓｈａｐｅ）を指定する。指定された結合形状は、結合原点から対応する領域又は領域形状まで伸びる。
【００１８】
図３において、結合原点属性は、表示座標（１１０，８５）により特定される起点３１０を特定する。結合形状属性は、起点３１０から対応の楕円形状３４０を有する対応の領域３３０に向けて伸びる結合形状３２０を特定する。
【００１９】
図３において、起点３１０から伸びる結合形状３２０、及び領域形状３３０は、一体化され、従って楕円形状３４０と組み合わされて表現され表示されるとき新しい形状を構成する。図３において構成要素である領域形状３２０及び３４０により形成された例示的新しい形状は、準バルーン形状であるけれども、より一般的には、組み合わされた領域形状及び結合形状は任意の形状を仮定し得る。
【００２０】
一つのアプリケーションにおいて、図４に示されるように、データ・メッセージにおいて指定された結合タイプ属性及び結合原点属性に基づいて、ブロック４１０で結合形状が表現され、ブロック４２０で表示される。前述したように、結合形状を表現することとそれを表示することとは、単一の動作として実行され得る。結合形状を表現することとそれを表示することとは、領域形状の表現及びそれの表示の前、その間、又はその後に実行され得る。従って、或る実施形態においては、領域形状及び結合形状を表現することとそれらを表示することとは、一体的又は連続の動作であり得る。
【００２１】
データ・メッセージがＳＭＩＬメッセージである実施形態において、結合原点属性は、既存のＳＭＩＬ“ｒｅｇＰｏｉｎｔ”要素の一部として次のように定義され得る。
【００２２】
【表２】
2005524899.tif 000004
例示的ｒｅｇＰｏｉｎｔ要素において、“’ｉｄ”は、ピクセルで表される位置（８５ｐｘ，１１０ｐｘ）での“ｍｏｕｔｈ（口）”として定義される、次いで、結合原点属性は、領域要素において定義される領域、例えば次のようなものと関連付けられる。
【００２３】
【表３】
2005524899.tif 000005
従って、領域要素は、ｌｉｎｋＯｒｉｇｉｎを“ｍｏｕｔｈ”と指定し、それは、上記のｒｅｇＰｏｉｎｔ要素において定義されている。領域要素はまた、ｌｉｎｋＴｙｐｅに対して形状を指定し、その例が以下に与えられる。結合形状が事前定義され、又は代替として、それは、グラフィックス言語、例えば、前述のＳＶＧ言語により指定され得る。
【００２４】
図２において、或る実施形態で、イメージ、例えば、テキスト及び／又は写真は、ブロック２５０で、領域に、又は対応の領域形状内に表現され、そして表示される。イメージを表現することとそれを表示することとが、一体型動作として実行され得る。イメージを表現しそして表示することがまた、もしあれば、領域形状及び／又は結合形状を表現しそして表示することと一体に実行され得る。
【００２５】
或る実施形態においては、テキストは、例えば領域の形状内に表示され、当該テキストは、上記形状の内部境界（ｂｏａｒｄｅｒ）に沿って表示され得る。なお、その内部境界は、一般的に非線形経路を有し得る。代替として、テキストは、上記形状内の矩形範囲内に一層通常に表示され得る。
【００２６】
或る実施形態においては、上記領域の範囲又は領域形状より大きい範囲を有するイメージは、例えば、楕円形状内の領域又は領域形状内に適合するようトリミング（ｃｒｏｐ）され、又はクリップされる。
【００２７】
図５は、データ・メッセージに基づく対応の表示イメージの第１の実施形態を示し、そこでは、イメージは、写真イメージを有する第１の矩形形状５１０、及びその中に割り付けられたテキストを有する第２の矩形領域形状５２０を含む。或るマルチメディア・アプリケーションにおいては、イメージは対応のメッセージから発生されるのであるが、その対応のデータ・メッセージは、イメージ又はそのテキストと関連したオーディオ・データを有する。オーディオ・データは、図５に示されるように、音声として発せられ、それは上記テキストに対応し得る。
【００２８】
図６は、データ・メッセージに基づく表示イメージの別の例示的実施形態を示し、そこでは、イメージは、写真イメージを有する第１の楕円領域形状６１０を含み、そのイメージは、領域形状６１０内に適合するようトリミングされ得る。図６はまた、その中に割り付けられたテキストを有する第２の楕円領域形状６２０、及び対応の結合形状６３０を図示し、その結合形状６３０は、テキスト及び音声がイメージ写真の口から発することを示す。
【００２９】
図７は、第１の領域形状７１０がハート型形状を有することを除いて図６に類似している。第２の領域形状７２０は、楕円形状、及びテキスト及び音声がイメージ写真の口から発することを示す結合形状７３０を有する。他の代替実施形態においては、図５から図７におけるリンクが、表示されたテキストが音声以外のものと考えられることを示すため、他の或る形状、例えば、積み重なった雲状の形状を有してもよい。
【００３０】
１２０×９０ピクセルを有する表示スクリーンに対して、図７の図示に対するＳＭＩＬコードは、次のとおりである。
【００３１】
【表４】
2005524899.tif 000006
この発明、及びそれの最良のモードであると現在考えられるものが、それらの所有を本発明により確立し且つ当業者が本発明を作り且つ用いるのを可能にする要領で説明されたが、本明細書で開示された例示的実施形態に対する多くの均等物があること、及び無数の変更及び変形が本発明の範囲及び趣旨から逸脱すること無しに行い得ることが理解され、認められであろうし、それらは、例示的実施形態により制限されず、添付の特許請求の範囲によって制限されるべきである。
【図面の簡単な説明】
【００３２】
【図１】図１は、データ・メッセージにおいて指定された例示的イメージ・データ領域である。
【図２】図２は、イメージをデータ・メッセージ仕様に基づいて表現し表示するプロセス・フロー図である。
【図３】図３は、データ・メッセージにおいて指定された別の例示的イメージ・データ領域である。
【図４】図４は、結合形状をデータ・メッセージに基づいて表現し表示するプロセス・フロー図である。
【図５】図５は、マルチメディア・データ・メッセージに基づいて表示された一例示的イメージである。
【図６】図６は、マルチメディア・データ・メッセージに基づいて表示された一例示的イメージである。
【図７】図７は、マルチメディア・データ・メッセージに基づいて表示された一例示的イメージである。
【図１】
2005524899.tif 000007
【図２】
2005524899.tif 000008
【図３】
2005524899.tif 000009
【図４】
2005524899.tif 000010
【図５】
2005524899.tif 000011
【図６】
2005524899.tif 000012
【図７】
2005524899.tif 000013
【国際調査報告】
2005524899.tif 000014
2005524899.tif 000015
2005524899.tif 000016